(57)【要約】【課題】  インクジェット捺染方法において、洗濯堅牢性が十分にあり、かつ、画像形成外への汚染がほとんどない捺染物が得られる捺染方法および捺染物を提供する。【解決手段】  含窒素カチオン性物質を含む処理液を布帛の画像形成領域にインクジェット塗布し、次いで、該画像形成領域の上に、アニオン性基を有する分散剤および顔料またはアニオン性基を有する顔料を含むインクでインクジェット記録し、さらに該画像形成領域上に、熱可塑性の疎水性樹脂を含む処理液を付与した後、加熱定着することによって、上記課題は達成される。【選択図】      図７
2005320663.tif 000002
【特許請求の範囲】
【請求項１】
少なくとも下記工程からなることを特徴とするインクジェット捺染方法：
（１）含窒素カチオン性物質を含む処理液（以下、処理液Ａ）を、布帛の画像形成領域にインクジェット方式により付与する第一工程、
（２）第一工程での塗布領域の上に、アニオン性基を有する分散剤および顔料またはアニオン性基を有する顔料を含むインクをインクジェット方式により付与し、前記布帛上に画像を形成する第二工程、
（３）第二工程で形成した画像の上に、熱可塑性の疎水性樹脂を含む処理液（以下、処理液Ｂ）を付与する第三工程、および
（４）前記第一、第二および第三工程により画像形成がなされた布帛を加熱する工程。
【請求項２】
処理液Ａ中の含窒素カチオン性物質が、分子量５０００以上のカチオン性ポリマーであることを特徴とする請求項１に記載のインクジェット捺染方法。
【請求項３】
処理液Ａが、カチオン性ポリマーの他に少なくとも１種の他の含窒素カチオン性物質を含んでいることを特徴とする請求項２に記載のインクジェット捺染方法。
【請求項４】
他の含窒素カチオン性物質が分子量９００以下の低分子カチオン系界面活性剤であることを特徴とする請求項３に記載のインクジェット捺染方法。
【請求項５】
熱可塑性の疎水性樹脂がガラス転移温度−３５℃〜４５℃のものであることを特徴とする請求項１〜４のいずれか１項に記載のインクジェット捺染方法。
【請求項６】
処理液Ｂが撥水剤を含むことを特徴する請求項１〜５のいずれか１項に記載のインクジェット捺染方法。
【請求項７】
請求項１〜６のいずれか１項に記載のインクジェット捺染方法によって製造されるインクジェット捺染物。
【発明の詳細な説明】
【技術分野】
【０００１】
本発明は、インクジェット記録方法、特に顔料インクを用いたインクジェット捺染方法及びこれにより得られた捺染物に関する。
【背景技術】
【０００２】
従来、インクジェット記録方法を利用した捺染方法において、染料インクが用いられてきた。染料インクを使用する場合、染料には各種の色合いの色素化合物があることから、色調に優れた鮮明な図柄を、布帛に現出することができるという利点を有する。しかし、染色した後に染料を繊維へ定着させるために、布帛に対して染料インクに含まれる染料に応じた方法で後処理を施さなければならない。そのため、工程数が増え、コスト増につながり、また廃液処理が不可欠であるなど生産性の問題や環境汚染に対する考慮も必要となる。
【０００３】
顔料インクを使用する場合は、一般に染料インクを使用する場合に比べて色調や鮮明性などに劣るものの、顔料自身の耐光性、耐水性が優れている。また、顔料インクを用いたインクジェット染色では、染料インクを用いた場合と比較すると布帛に対する煩雑な後処理が不要であるといった利点を有する。このようなことから、現在、顔料インクを用いるインクジェット捺染方法が注目されている。
【０００４】
そのような顔料インクを用いるインクジェット捺染方法として、水溶性金属塩とカチオン系化合物の少なくとも１種と非イオン性水溶性高分子と非イオン性界面活性剤又は両性界面活性剤とを含有する布帛に染色する方法（例えば、特許文献１参照）、カチオン系樹脂と２価〜３価の金属イオンで処理した布帛を顔料インクで染色する方法（例えば、特許文献２参照）、疎水性低分子化合物とカチオン樹脂を付与した布帛を顔料インクで染色し熱処理を施して被膜を形成する方法（例えば、特許文献３参照）等が知られており、画像の鮮明性、耐水性、摩擦性等を向上させることが行われている。
【０００５】
これらは、カチオン系物質を含むインク受容層を形成することで顔料の定着性を高めているが、洗濯堅牢性が十分でない。また、いずれの場合も、汚れや、色落ちのし易い衣服などと共に洗濯をすると、汚れまたは染料等が画像形成した領域以外のところに残存するカチオン性物質に対して染着してしまうことが問題であった。
【特許文献１】特開平７−１１９０４７号公報
【特許文献２】特開２０００−２２６７８１号公報
【特許文献３】特開２００１−１４０１７４号公報
【発明の開示】
【発明が解決しようとする課題】
【０００６】
すなわち、本発明は、インクジェット捺染方法において、洗濯堅牢性が十分にあり、かつ、画像形成外への汚染がほとんどない捺染物が得られる捺染方法および捺染物を提供することにある。
【課題を解決するための手段】
【０００７】
前記の目的は以下の手段によって達成される。
【０００８】
すなわち、本発明は、少なくとも下記工程からなることを特徴とするインクジェット捺染方法である：
（１）含窒素カチオン性物質を含む処理液（以下、処理液Ａ）を、布帛の画像形成領域にインクジェット方式にて付与する第一工程、
（２）第一工程での塗布領域の上に、アニオン性基を有する分散剤および顔料またはアニオン性基を有する顔料を含むインクをインクジェット方式にて付与することで、前記布帛上に画像を形成する第二工程、
（３）第二工程で形成した画像の上に、熱可塑性の疎水性樹脂を含む処理液（以下、処理液Ｂ）を付与する第三工程、および
（４）前記第一、第二および第三工程により画像形成がなされた布帛を加熱する工程。
【０００９】
含窒素カチオン性物質が、分子量５０００以上のカチオン性ポリマーであること、さらに少なくとも１種の他の含窒素カチオン性物質を含んでいること、該他の含窒素カチオン性物質が分子量９００以下の低分子カチオン系界面活性剤であること、熱可塑性の疎水性樹脂が、ガラス転移温度−３５℃〜４５℃のものであることを含む。
【００１０】
また、本発明は、このインクジェット捺染方法により製造されたインクジェット捺染物である。
【発明の効果】
【００１１】
本発明により、洗濯堅牢性が十分にあり、かつ、画像形成外への汚染がほとんどない捺染物が得られる捺染方法および捺染物が提供される。
【発明を実施するための最良の形態】
【００１２】
以下、本発明を詳細に説明する。
【００１３】
本発明のインクジェット捺染方法は、少なくとも、含窒素カチオン性物質を含む処理液Ａを、布帛の画像形成領域にインクジェット方式により塗布し（第一工程）、次いで、第一工程での処理液Ａ塗布領域上に、アニオン性基を有する分散剤と顔料或いはアニオン性基を有する顔料を含むインクをインクジェット方式により付与し（第二工程）、更に、第二工程でインクにより形成した画像上に熱可塑性樹脂を含む処理液Ｂを付与し（第三工程）、その後前記第一、第二および第三工程により画像形成がなされた布帛を加熱する（第四工程）ことを特徴とする。
【００１４】
処理液Ａをインクジェット塗布する第一工程は、第二工程での顔料の補足性を高めて布帛への定着性と発色性を向上させること、処理液Ｂを付与する第三工程は、顔料の表面を被覆して洗濯堅牢性を向上させることが目的である。
【００１５】
なお、第二工程や第三工程で滲みが発生するような場合、これら工程に先立って乾燥等を行ってもよい。
【００１６】
ここで、第一工程を行わず、アニオン性基を有する分散剤と顔料或いはアニオン性基を有する顔料を含むインクをインクジェット記録し（第二工程）、更に、熱可塑性樹脂を含む処理液Ｂを、第二工程で形成した画像領域上に付与し（第三工程）、その後加熱定着する（第四工程）プロセスでも、比較的優れた洗濯堅牢性が得られる。しかし、この場合、顔料が布帛中に浸透して、滲みや濃度の低下が起こってしまう場合がある。従って、滲みのない高濃度で鮮明性に優れる画質を得るためには、第一工程が必要である。
【００１７】
ここで、本発明の捺染方法について、図７のフローチャートを参照しながら説明する。
【００１８】
［第一工程］
まず、図７のステップＳ１において、処理液Ａをインクジェット記録方法により布帛の画像形成領域に塗布し、インク受容層を形成する。
【００１９】
処理液Ａは、含窒素カチオン性物質、好ましくは高分子量の含窒素カチオン性物質を含有していることが望ましい。なお、この高分子量の含窒素カチオン性物質としては、分子量５０００以上のカチオン性ポリマーであることが好ましい。
【００２０】
このカチオン性ポリマーとして、例えば、ポリエチレンイミン、ポリビニルピリジン、ポリジアルキルアミノエチルメタクリレート、ポリジアルキルアミノエチルアクリレート、ポリジアルキルアミノエチルメタクリルアミド、ポリジアルキルアミノエチルアクリルアミド、ポリエポキシアミン、ポリアミドアミン、ジシアンジアミド・ホルマリン縮合物、ジシアンジアミドポリアルキル・ポリアルキレンポリアミン縮合物、ポリジアリルジメチルアンモニウムクロライド、ポリビニルアミン、ポリアリルアミン、アクリルアミド・ジアリルアミン塩酸塩共重合体、ジメチルアミンエピクロルヒドリン重縮合物およびこれらの変性物等が挙げられる。分子量５０００以上、好ましくは７０００以上であることが、アニオン性化合物（顔料、分散剤）を含む捺染インクを保持し、色落ちを効率的に防止することができるので好ましい。
【００２１】
なお、高分子量の含窒素カチオン性物質の処理液Ａ中の濃度として、０．５〜１０質量％が好ましい。０．５質量％未満であるとその効果はほとんど得られないことがあり、１０質量％を越えると粘度の増加など、ヘッドの目詰まりが起こりやすい。好ましくは、０．６〜７質量％である。
【００２２】
さらに、処理液Ａは、高分子量の含窒素カチオン性物質とともに、少なくとも１種の他の含窒素カチオン性物質を含んでいることが好ましい。なお、他の含窒素カチオン性物質としては、分子量９００以下の低分子カチオン系界面活性剤であることがより好ましい。
【００２３】
ここで用いうるカチオン系界面活性剤としては、例えば、１〜３級アミンの塩系化合物、具体的には、ラウリルアミン、ステアリルアミン、ロジンアミン等の塩酸塩、酢酸塩等；第４級アンモニウム塩系化合物、具体的には、ラウリルトリメチルアンモニウムクロライド、ラウリルジメチルベンジルアンモニウムクロライド、塩化セチルトリメチルアンモニウム、塩化ベンザルコニウム等；あるｐＨ領域においてカチオン性を示す両性界面活性剤、具体的には、アミノ酸型両性界面活性剤、ベタイン型化合物等を等電点以下に調整したもの、が挙げられる。中でも分子量９００以下であることが好ましい。分子量９００以下の低分子カチオン系界面活性剤は、高分子のそれと比較して、界面活性能が高く、アニオン性物質との反応性が高いため、したがってアニオン性基を有する化合物（顔料、分散剤）の補足性に優れる。
【００２４】
なお、処理液Ａ中の低分子カチオン系界面活性剤の濃度としては０．５〜２０質量％が適当である。０．５質量％未満であるとその効果はほとんど得られないことがあり、２０質量％を越えても性能の向上はなく、コスト高になるだけである。好ましくは、１〜１５質量％である。
【００２５】
なお、低分子カチオン系界面活性剤自身は耐水性を持たず、前記布帛上に対して定着しにくい。そこで、高分子の含窒素カチオン性物質（カチオン性ポリマー）とともに使用することによって、布帛への定着性を高めることが出来る。
【００２６】
本発明に用いられる処理液Ａの構成成分としては、上記成分のほかに、水、あるいは水と水溶性有機溶剤とからなる液媒体を少なくとも含み、その他、ｐＨ調整剤、防黴剤、界面活性剤、水溶性樹脂等の各種添加剤が適宜含有されているものが用いられる。
【００２７】
水溶性有機溶剤としては、例えば、グリコール類、グリコールエーテル類、含窒素溶剤等が挙げられる。
【００２８】
界面活性剤としては、含窒素カチオン性物質のアニオン性化合物の捕捉性を損なわないものが好ましく、例えば、ポリオキシエチレンアルキルエーテル類、ポリオキシエチレンアルキルエステル類、ポリオキシエチレンソルビタンアルキルエステル類等の非イオン性界面活性剤が挙げられる。これらの１種又は２種以上を適宜に選択して使用する。
【００２９】
本発明に用いられる布帛は、いずれのものでもよいが、例えば、綿、絹、麻、レーヨン、アセテート、ナイロンもしくはポリエステル繊維からなる布帛、又はこれらの繊維の２種以上からなる混紡布帛が好ましく用いられる。
【００３０】
［第二工程］
次いで、図７のステップＳ２において、アニオン性基を有する分散剤及び顔料或いはアニオン性基を有する顔料を含むインク（以下、顔料インクともいう）によりインクジェット方式により付与し、顔料インクによる画像を布帛上に形成する。
【００３１】
本発明に用いるインクに含有される色材は顔料とし、そのインクの構成成分としては、アニオン性基を有する化合物（顔料、分散剤）の他、水、あるいは水と水溶性有機溶剤とからなる液媒体を少なくとも含み、その他、ｐＨ調整剤、防黴剤、界面活性剤、水溶性樹脂等の各種添加剤が適宜含有されているものが用いられる。なお、顔料がアニオン性基を有するときには、顔料自体が水に分散するので必ずしも分散剤は必要ではないが、必要により分散剤を使用する。
【００３２】
ここで用いる水溶性有機溶剤としては、例えば、グリコール類、グリコールエーテル類、含窒素溶剤等が挙げられる。
【００３３】
界面活性剤としては、例えば、脂肪酸塩類、高級アルコール硫酸エステル塩類、液体脂肪油硫酸エステル塩類、アルキルアリルスルホン酸塩類等の陰イオン界面活性剤、ポリオキシエチレンアルキルエーテル類、ポリオキシエチレンアルキルエステル類、ポリオキシエチレンソルビタンアルキルエステル類等の非イオン性界面活性剤が挙げられ、これらの１種又は２種以上を適宜に選択して使用することができる。
【００３４】
本発明で使用できる顔料としては、水あるいは水と水溶性用有機溶剤に分散させて、インクとするものならばいずれでもよい。
【００３５】
黒色インクに使用される顔料としては、カーボンブラックが好適であり、具体的には、ファーネスブラック、ランプブラック、アセチレンブラック、チャンネルブラック等のカーボンブラック顔料であり、市販品や、別途新たに調製されたものもであっても良い。
【００３６】
有機顔料として、具体的には、トルイジンレッド、トルイジンマルーン、ハンザエロー、ベンジジンエロー、ピラゾロンレッド等の不溶性アゾ顔料；リトールレッド、ヘリオボルドー、ピグメントスカーレット、パーマネントレッド２Ｂ等の溶性アゾ顔料；アリザリン、インダントロン、チオインジゴマルーン等の建染染料からの誘導体；フタロシアニンブルー、フタロシアニングリーン等のフタロシアニン系顔料；キナクリドンレッド、キナクリドンマゼンタ等のキナクリドン系顔料；ペリレンレッド、ペリレンスカーレット等のペリレン系顔料；イソインドリノンエロー、イソインドリノンオレンジ等のイソインドリノン系顔料；ベンズイミダゾロンエロー、ベンズイミダゾロンオレンジ、ベンズイミダゾロンレッド等のイミダゾロン系顔料；ピランスロンレッド、ピランスロンオレンジ等のピランスロン系顔料；チオインジゴ系顔料、縮合アゾ系顔料、ジケトピロロピロール系顔料、フラバンスロンエロー、アシルアミドエロー、キノフタロンエロー、ニッケルアゾエロー、銅アゾメチンエロー、ペリノンオレンジ、アンスロンオレンジ、ジアンスラキノニルレッド、ジオキサジンバイオレット等のその他の顔料が例示できる。
【００３７】
また、有機顔料を、カラーインデックス（Ｃ．Ｉ．）ナンバーにて示すと：Ｃ．Ｉ．ピグメントイエロー１２、１３、１４、１７、２０、２４、７４、８３、８６、９３、９７、１０９、１１０、１１７、１２０、１２５、１２８、１３７、１３８、１４７、１４８、１５０、１５１、１５３、１５４、１６６、１６８、１８０、１８５；Ｃ．Ｉ．ピグメントオレンジ１６、３６、４３、５１、５５、５９、６１、７１；Ｃ．Ｉ．ピグメントレッド９、４８、４９、５２、５３、５７、９７、１２２、１２３、１４９、１６８、１７５、１７６、１７７、１８０、１９２、２１５、２１６、２１７、２２０、２２３、２２４、２２６、２２７、２２８、２３８、２４０、２５４、２５５、２７２；Ｃ．Ｉ．ピグメントバイオレット１９、２３、２９、３０、３７、４０、５０；Ｃ．Ｉ．ピグメントブルー１５、１５：１、１５：３、１５：４、１５：６、２２、６０、６４；Ｃ．Ｉ．ピグメントグリーン７、３６；Ｃ．Ｉ．ピグメントブラウン２３、２５、２６およびＣ．Ｉ．ピグメントブラック１等が例示できる。
【００３８】
なお、本発明では、白色を捺染により付加することが可能であり、この目的に使用できる白色顔料として、チタンホワイトを挙げることができる。
【００３９】
［第三工程］
更に、図７のステップＳ３において、熱可塑性の疎水性樹脂を含む処理液Ｂを、画像形成領域を含む領域に付与する。
【００４０】
熱可塑性の疎水性樹脂を含む処理液Ｂとしては、例えば、アクリル共重合樹脂、ポリウレタン樹脂、酢酸ビニル樹脂、塩化ビニルを主成分とする樹脂等の乳化物が好適に使用できる。通常、顔料捺染に使用されているエストラマーの乳化物であれば、使用可能であるが、一般的にはアクリル共重合樹脂が好適である。なお、疎水性樹脂はそのガラス転移温度が−３５℃〜４５℃、最も好ましくは−２５℃〜２０℃であるものが望ましい。ガラス転移温度が−３５℃未満のものでは、耐摩耗性が低下し、４５℃を超えるものでは接着性や風合いが悪くなる。
【００４１】
疎水性樹脂を付与した布帛を加熱することで布帛、含窒素カチオン性物質、疎水性樹脂、分散剤及び顔料の接着性を高めることが出来る。なお、本工程では布帛に対して疎水性樹脂が、５〜８ｇ／ｍ2になる量を付与する。疎水性樹脂の付与量が５ｇ／ｍ2未満であるとその効果は小さく、８ｇ／ｍ2を越えると布帛の持つ風合いを損なってしまうことがある。好ましくは、６〜７ｇ／ｍ2となる付与量である。
【００４２】
更に、処理液Ｂは、撥水剤を含有していると好ましい。なお、必要があれば、架橋剤等を添加してもよい。
【００４３】
処理液Ｂを付与する方法としては、パッド法、スプレー法、プリント法、コーティング法等、公知のいずれの方法でもよく、特に限定されるものではない。また、処理液Ｂをインクジェット方式により付与してもかまわない。
【００４４】
［第四工程］
第一〜第三工程が終了した後、必要により乾燥し、その後ステップＳ４において、布帛を加熱することで、布帛に付与された処理液Ａ、インク、処理液Ｂを定着させる。このときの加熱温度としては、布帛の種類、処理液組成、顔料成分等によって適宜最適されるが、通常１００〜２００℃、好ましくは１２０〜１６０℃が適当である。また、処理時間としては、通常１〜１０分で十分であるが、もちろん、処理液Ａ、処理液Ｂおよび捺染用インクの組合せによって適宜最適の時間を設定する。最後に、必要により、過剰の含窒素カチオン性物質、特に低温の含窒素カチオン性物質、やアニオン性化合物（分散剤、顔料）を除去するために、洗濯することができる。
【００４５】
以上説明した第一〜第四工程により、本発明におけるインクジェット捺染方法が実現される。
【００４６】
〔装置の説明〕
上記第一および第二工程を少なくとも実現可能なインクジェット捺染装置の一例について説明する。インクジェット捺染装置としては従来公知のいずれのものでもよいが、例えば記録ヘッドの室内のインクに記録信号を対応した熱エネルギーを与え、該熱エネルギーにより液滴を発生させる装置が好適に用いられる。
【００４７】
その装置の主要部であるインクジェット記録ヘッドの構成例を図１〜３に示す。
【００４８】
図１および図２において、記録ヘッド１２は、液体（インクや処理液等）２１を通す溝１４を有するガラス、セラミックス又はプラスチック板等からなる溝部材１３と、感熱記録に用いられる発熱ヘッド１５とを接着して得られる。発熱ヘッド１５は酸化シリコン等で形成される保護膜１６、アルミニウム電極１７−１、１７−２、ニクロム等で形成される発熱抵抗体層１８、蓄熱層１９、アルミナ等の放熱性の良い基板２０よりなっている。液体２１は吐出オリフィス（微細孔）２２まで来ており、圧力Ｐによりメニスカス２３を形成している。今、電極１７−１、１７−２に電気信号が加わると、発熱ヘッド１５のｎで示される領域が急激に発熱し、ここに接している液体２１に気泡が発生し、その圧力でメニスカス２３が突出し、液体２１が吐出し、オリフィス２２より小滴２４となって記録媒体２５に向かって飛翔する。
【００４９】
図３は図１、図２に示すヘッドを多数並べたマルチ吐出口ヘッドの外観図である。
【００５０】
このマルチ吐出口ヘッドはマルチ溝２６を有するガラス板２７と、図１に説明したものと同様な発熱ヘッド２８を密着して製作されている。なお、図１は、液体流路に沿ったヘッド１２の断面図であり、図２は図１のＡ−Ｂ線での切断面である。
【００５１】
図４は、上記ヘッドを搭載したインクジェット捺染装置の概略を示す斜視図である。
【００５２】
図４において、装置１００の給紙位置に挿入された記録媒体（布帛）１０６は、送りローラ１０９によってインクジェットユニット（カートリッジ）１０３による画像形成可能領域へ搬送される。この画像形成可能領域におけるプリント媒体の背面部には、プラテン１０８が設けられている。
【００５３】
キャリッジ１０１は、２本のガイド軸１０４および１０５によって一定の方向に移動可能な構成となっており、これにより、インクジェットユニット１０３は画像形成領域を往復走査することができる。キャリッジ１０１には、後述される各ユニットを搭載することができる。すなわち、複数の色それぞれのインクと処理液Ａを付与するインクジェットヘッドと、それぞれのインクジェットヘッドにインク又は処理液Ａを供給するためのインクタンクを含むインクジェットユニット１０３が搭載される。例えば複数の色のインクとしては、ブラック（Ｂｋ）、シアン（Ｃ）、マゼンタ（Ｍ）、イエロー（Ｙ）の４色を用いることができる。なお、必要によりホワイト（Ｗ）を設けてもよい。
【００５４】
画像形成は、上記したヘッドの走査と布帛の搬送により実行される。詳しくは、インクジェットヘッドが布帛上を往復走査しながらインクや処理液Ａを付与してバンド単位の画像形成を行う走査動作と、走査と走査の間に布帛を搬送する搬送動作とを繰り返することで、布帛の画像形成領域の全域に対する画像形成が実現される。なお、本実施形態では、上述した第一および第二工程を実現するために、布帛に対して処理液Ａが先行して付与され、その後、インクが付与される形態になっている。
【００５５】
キャリッジ１０１が移動可能な領域の左端においては、その下部に後述のワイピング機構等を有した回復系ユニット１１０が設けられ、非プリント時等に各インクジェットヘッドの吐出口部をキャップすること等が可能となる。この左端位置を各インクジェットヘッドのホームポジションと呼ぶ。
【００５６】
回復系ユニットは、ヘッドの吐出口をキャッピングするためのキャップと、ヘッドの吐出口面をワイピングするためのブレードとを有している。そして、これらキャップおよびブレードは、インク用と処理液用とで別々に設けられている。キャップやブレードが別々に設けられていない場合、インク吐出ヘッド（もしくは処理液吐出用ヘッド）の吐出口面に処理液（もしくはインク）が付着し、その付着面にて両者が反応することで反応物が固着し、吐出不良を招くおそれがある。従って、これらキャップおよびブレードは、インクおよび処理液それぞれで専用のものを設けるようにしている。
【００５７】
１０７はスイッチ部と表示素子部を示し、スイッチ部はインクジェットプリント装置の電源のオン／オフや各種プリントモードの設定時等に使用され、表示素子部はプリント装置の各種状態を表示するためのものである。
【００５８】
なお、上記では、ヘッドの走査と布帛の搬送を繰り返すことで画像形成を行う形態を示したが、インクジェット記録ヘッドを二次元的に移動可能とし、布帛の画像形成領域の全域に画像形成可能とすることもできる。
【００５９】
図５は、本実施例に係るインクジェット捺染装置の制御構成を示すブロック図である。
【００６０】
図５において、ホストコンピュータから、形成すべき文字や画像のデータ（以下“画像データ”という）がインクジェット捺染装置の受信バッファ４０１に入力される。また、正しくデータが転送されているかを確認するデータや、捺染装置側の動作状態を知らせるデータが捺染装置側からホストコンピュータに転送される。受信バッファ４０１に保持された画像データはＣＰＵ４０２の管理のもとでメモリ部４０３に転送され、そのＲＡＭ（ランダムアクセスメモリ）に一時的に格納される。メカコントロール部４０４は、ＣＰＵ４０２からの指令によりキャリッジモータやラインフィードモータ等のメカ部４０５を駆動する。センサ／ＳＷコントロール部４０６は、各種センサやＳＷ（スイッチ）からなるセンサ／ＳＷ部４０７からの信号をＣＰＵ４０２に転送する。表示素子コントロール部４０８は、ＣＰＵ４０２からの指令により表示パネル群のＬＥＤや液晶表示素子等からなる表示素子部４０９を制御する。ヘッドコントロール部４１０はＣＰＵ４０２からの指令により各インクジェットヘッド２００の駆動を制御する。また、ヘッドコントロール部４１０はインクジェットヘッド２００の状態に関して、不図示のセンサによって検出される温度情報等をＣＰＵ４０２に伝える。
【００６１】
図６は、上述したインクジェット捺染装置における回復系ユニット１１０のワイピング機構の動作を説明する模式図である。
【００６２】
図６に示したインクジェットカートリッジ１０３は、ヘッドユニット１０２と各インクタンク１２０Ｓ、１２０ＢＫ１、１２０ＢＫ２（Ｙ，Ｍ，Ｃインク用のタンクの図示は省略）からなり、ヘッドユニット１０２はインク毎のインクジェットヘッド、すなわち処理液Ａ用ヘッド２００Ｓ、黒インク用ヘッド２００ＢＫ１、２００ＢＫ２、シアンインク用ヘッド２００Ｃ、マゼンタインク用ヘッド２００Ｍおよびイエローインク用ヘッド２００Ｙからなる。このようなヘッド配列により、布帛に対して、処理液Ａをインクよりも先行して付与できるようになる。
【００６３】
図６に示すように、インクジェットヘッドの吐出口面およびその一部を覆うカバープレート表面をワイピングするそれぞれのブレード１１７および１１８は、インクジェットヘッド毎に設けられる。これら各ヘッドに対応したブレード１１７および１１８は、そのワイピング動作時には一体に動作することができる。すなわち、ブレード１１７および１１８は、インクジェットユニット１０３がホームポジションに位置し、ワイピング動作を行うタイミングでは、吐出口面およびカバープレートにそれぞれ当接できる位置まで上昇し、その後、図中矢印で示されるワイピング方向（インクジェットヘッドの走査方向と直交する方向）に移動して吐出口面およびカバープレート表面をワイピングする。なお、ブレード１１７および１１８の退避位置としては、上述の上昇を伴う位置ではなく、ヘッドと干渉しない位置に平行にスライドする位置であってもよい。
【００６４】
なお、以上では、装置構成として、第三および第四工程を実現するための機能を備えない形態について説明したが、本実施形態はこれに限られるものではなく、勿論、これら機能を備えた装置としてもよい。すなわち、第三工程を実現するための機能としては、処理液Ａおよびインクが付与された後に処理液Ｂを付与させる機能を備えるようにすればよく、また、第四工程を実現するための機能としては、処理液Ａ・インク・処理液Ｂにより画像形成がなされた布帛を加熱定着させるための機能（例えば、ヒータ）を備えるように構成すればよい。
【実施例】
【００６５】
以下、本発明を実施例により更に具体的に説明するが、本発明はこれらに限定されるものではない。なお、特に断らない限り「部」は「質量部」を、「％」は「質量％」をいう。
【００６６】
処理液Ａ、処理液Ｂ及び捺染用インクの調製は以下のように行った。
【００６７】
処理液Ａ
下記割合で各成分を混合して、処理液Ａを得た。
カチオン系界面活性剤（分子量３５４、固形分５０％、商品名；ＴＭ−１６、三洋化成製）１５部、
カチオン性ポリマー（分子量１５０００、固形分１５％、商品名；ＰＡＡ、日東紡製）４部、
ジエチレングリコール１０部、
グリセリン５部、
イソプロピルアルコール１０部、および
水５６部
【００６８】
処理液Ｂ
下記割合で核成分を混合し、処理液Ｂを得た。
ポリアクリル酸エステル（固形分３５％エマルション、商品名；Ｂｉｎｄｅｒ  ７０５（Ｍ）、大日精化製）２１部、
撥水剤（固形分３４％、商品名；パラヂウムＳＳ、大原パラヂウム製）１０部、
アセチレノール１部、および
水６８部
【００６９】
捺染用インク
下記にて調製した各色の顔料分散液（顔料分１０％）を用い、下記配合割合で混合して捺染用インクを得た。
【００７０】
・顔料分散液の調製
シアン  （顔料名：Ｃ．Ｉ．ピグメントブルー１５：１）
マゼンタ（顔料名：Ｃ．Ｉ．ピグメントレッド１２２）
イエロー（顔料名：Ｃ．Ｉ．ピグメントイエロー７４）
ブラック（顔料名：カーボンブラック）
上記顔料１０部を、水９０部あるいは水８７部と水溶性樹脂（スチレン・アクリル酸共重合体（重量平均分子量７，０００））３部の液に分散させ、各色の顔料分散液を得た。
【００７１】
・捺染用インクの調製
上記顔料分散液６０部を取り、グリセリン５部、ジエチレングリコール１０部及びイソプロピルアルコール１０部を加え、水１５部で希釈して、粘度３〜５ｃｐｓの捺染用インクを得た。
【００７２】
実施例１
布帛として、布をＡ４大に切り出し、Ａ４版のコピー用紙に両面テープで固定したものを用い、市販のインクジェットカラープリンタＢＪ−Ｆ６００（キヤノン製）のインクカートリッジに上記で作成した処理液Ａを充填して、布帛の画像形成領域に処理液Ａを塗布した。
【００７３】
次いで、上記で作成した捺染用インクを充填したインクカートリッジに取り替え、前記と同機種のプリンターにより、処理液Ａを塗布した布帛にカラー画像をインクジェット記録した。
【００７４】
上記で作成した処理液Ｂを、スプレーガンを用いてカラー画像を形成した上に画像形成領域を含む領域に乾燥重量で約６ｇ／ｍ2になる量を付与した。
【００７５】
その後、コピー用紙を剥がし、ピンテンターを用いて１５０℃で３．５分間加熱定着を行った。
【００７６】
得られたプリント物を業務用洗濯機ＥＣＯＮＯＭＡＴ−１０Ｄ（アサヒ製作所製）にて、洗剤を適量加えた５０℃の温水用いて１０分間洗濯し、水で１０分間すすぎを行った。この洗濯を１０回繰り返し行い、洗濯前と１０回洗濯後のプリント物のＣＭＹＫ色濃度をミノルタ製分光光度計で各色測定し、その平均値の減少率（色落ち）を求めた結果、４％であった。また、摩擦性はＪＩＳＬ−０８４９に準ずる試験を行い、乾燥摩擦で４級、湿潤摩擦で２級が得られた。
【００７７】
比較例１
実施例１において、処理液Ｂの付与を全く行なわなかった他は実施例１と同様にしてプリント物を得た。色落ち、摩擦性を実施例１と同様に調べたところ、色落ちは１９％であり、摩擦性はそれぞれ２級（乾燥摩擦）、１級（湿潤摩擦）であった。
【図面の簡単な説明】
【００７８】
【図１】インクジェット記録ヘッドの液体流路に沿った断面図である。
【図２】図１の液体流路をＡ−Ｂ面での端面図である。
【図３】液体流路を複数配設したマルチ吐出口ヘッドの外観図である。
【図４】インクジェット記録ヘッドを組み込んだインクジェット捺染装置の一例の外観図である。
【図５】インクジェット捺染装置の制御構成を示すブロック図である。
【図６】インクジェット捺染装置におけるワイピングのための機構を説明するための模式図である。
【図７】本発明のインクジェット捺染方法の手順を示したフローチャートである。
【符号の説明】
【００７９】
１２                  インクジェット記録ヘッド
１３                  溝部材
１４                  インク流路（溝）
１５                  発熱ヘッド
１６                  発熱ヘッド保護膜
１７−１、１７−２    アルミニウム電極
１８                  発熱抵抗体層
１９                  蓄熱層
２０                  基板
２１                  インク
２２                  吐出オリフィス
２３                  メニスカス
２４                  インク液滴
２５                  記録媒体（布帛）
２６                  インク吐出孔（マルチ）
２７                  ガラス板
２８                  発熱ヘッド（マルチ）
１００                インクジェット捺染装置
１０１                キャリッジ
１０２                ヘッドユニット
１０３                インクジェットユニット（カートリッジ）
１０４、１０５        ガイド軸
１０６                記録媒体（布帛）
１０７                スイッチ部と表示素子部
１０８                プラテン
１０９                送りローラ
１１０                回復系ユニット
１１７、１１８        ブレード
１２０Ｓ              処理液Ａ用タンク
１２０ＢＫ１、ＢＫ２  黒インク用タンク
２００                インクジェットヘッド
２００Ｓ              処理液Ａ用ヘッド
２００ＢＫ１、ＢＫ２  黒インク用ヘッド
２００Ｃ              シアンインク用ヘッド
２００Ｍ              マゼンタインク用ヘッド
２００Ｙ              イエローインク用ヘッド
４０１                受信バッファ
４０２                ＣＰＵ
４０３                メモリ部
４０４                メカコントロール部
４０５                メカ部
４０６                センサ／ＳＷコントロール部
４０７                センサ／ＳＷ部
４０８                表示素子コントロール部
４０９                表示素子部
４１０                ヘッドコントロール部
【図１】
2005320663.tif 000003
【図２】
2005320663.tif 000004
【図３】
2005320663.tif 000005
【図４】
2005320663.tif 000006
【図５】
2005320663.tif 000007
【図６】
2005320663.tif 000008
【図７】
2005320663.tif 000009